(57)【要約】【課題】バネ部に外力が加わって損傷することを防止するとともに、他の部材と干渉せずに収納管理できるマスキング治具を提供すること。【解決手段】表面に把持部３を有した円板状のマスキング板２の裏面に、四角柱状の支柱部４を突設している。支柱部４の先端部に、長手状のバネ部５の先端がマスキング板２の裏面に向けて延出する状態にバネ部５の基端の取付部５１をネジ止めしている。載置面に載置した際、マスキング板２の周縁と支柱部４の先端部とが接地するので、他の部材の下敷きとなるなどの外力が作用しても、バネ部５が塑性変形することを防止できる。バネ部５の先端側はマスキング板２に向けて延出して外方に向けて突出しないので、他のマスキング治具１に引っ掛かるなどの干渉を防止できる。【選択図】図１
0003170267.tif 000002
【実用新案登録請求の範囲】
【請求項１】
マスキング板と、
このマスキング板の表面に設けられた把持部と、
前記マスキング板の裏面に突設された支柱部と、
この支柱部の先端部に基端側が取り付けられ、先端側に向かうに従って前記支柱部から次第に離間して前記マスキング板の裏面に向けて延出する弾性変形可能なバネ部とを具備した
ことを特徴とするマスキング治具。
【請求項２】
請求項１に記載のマスキング治具において、
前記バネ部は、前記マスキング板の周縁と前記支柱部の先端縁とを結ぶ直線よりも支柱部側に位置して形成されている
ことを特徴とするマスキング治具。
【請求項３】
請求項１または請求項２に記載のマスキング治具において、
前記バネ部は、弾性部材にて長手状に形成され、
前記バネ部の前記支柱部に取り付けられる一端には、該支柱部にネジ止めされる環状の取付部が設けられ、
前記バネ部の他端部には、前記支柱部側に屈曲された屈曲部が設けられている
ことを特徴とするマスキング治具。
【請求項４】
請求項１から請求項３までのいずれか一項に記載のマスキング治具において、
前記支柱部は、角柱状に形成され、
前記バネ部は、前記支柱部の側面にそれぞれ取り付けられた
ことを特徴とするマスキング治具。
【考案の詳細な説明】
【技術分野】
【０００１】
本考案は、マスキング治具に関する。
【背景技術】
【０００２】
塗装対象物として、ネジ孔やボルトが挿通される挿通孔などの塗装を施さない非塗装部分を有したものがある。このような塗装対象物では、非塗装部分をマスキング治具で被覆し、非塗装部分に塗装が施されないようにしている（例えば、特許文献１参照）。
この特許文献１に記載のマスキング治具は、非塗装部分を覆うマスキング板に、ガイド板とピアノ線で形成したバネ材とを設け、バネ部材の両端部を非塗装部分の孔に弾性変形させて挿入することで、非塗装部分が覆われる構成が採られている。
【先行技術文献】
【特許文献】
【０００３】
【特許文献１】実用新案登録第３１５０８２５号公報
【考案の概要】
【考案が解決しようとする課題】
【０００４】
ところで、特許文献１に記載のようなバネ材を用いるマスキング治具では、バネ部材が非塗装部分のネジ孔や挿通孔などへ挿入する方向に対して逆Ｖ字形に形成され、先端に向かうに従って広がるように形成されている。このことにより、マスキング治具は、平面上に置かれると、マスキング板の周縁とバネ材の先端部分とで接地されることになる。
【０００５】
このため、作業中において、マスキング治具を作業テーブルや作業場の床に転がしておいたままとした場合に、他の部材がぶつかったり、他の部材の下敷きになったりして外力が加わると、バネ材が弾性域を超えて塑性変形することがあり、バネ材の復元力が低下するなどの不都合を生じるおそれがある。
【０００６】
さらに、バネ材の先端部分が広がるように露出するので、複数のマスキング治具をまとめて収容した際に、バネ材の先端部分が他のマスキング治具に引っ掛かるなどして、取り扱いが煩雑となり、場合によりバネ材を損傷するなどのおそれもある。
【０００７】
本考案の目的は、バネ部に外力が加わって損傷することを防止するとともに、バネ部が他の部材と干渉せずに収納管理できるマスキング治具を提供することである。
【課題を解決するための手段】
【０００８】
第１考案のマスキング治具は、マスキング板と、このマスキング板の表面に設けられた把持部と、前記マスキング板の裏面に突設された支柱部と、この支柱部の先端部に基端側が取り付けられ、先端側に向かうに従って前記支柱部から次第に離間して前記マスキング板の裏面に向けて延出する弾性変形可能なバネ部と、を具備したことを特徴とする。
【０００９】
第２考案のマスキング治具では、前記バネ部は、前記マスキング板の周縁と前記支柱部の先端縁とを結ぶ直線よりも支柱部側に位置して形成されていることを特徴とする。
【００１０】
第３考案のマスキング治具では、前記バネ部は、弾性部材にて長手状に形成され、前記バネ部の前記支柱部に取り付けられる一端には、該支柱部にネジ止めされる環状の取付部が設けられ、前記バネ部の他端部には、前記支柱部側に屈曲された屈曲部が設けられていることを特徴とする。
【００１１】
第４考案のマスキング治具では、前記支柱部は、角柱状に形成され、前記バネ部は、前記支柱部の側面にそれぞれ取り付けられたことを特徴とする。
【考案の効果】
【００１２】
本考案によれば、平面上に載置した際に、マスキング板の周縁と支柱部の先端部とが接地するので、バネ部に外力が作用せず、バネ部の損傷を防止できる。
さらに、本考案によれば、バネ部の先端側が外方に向けて突出せず、まとめて収容しても他の部材に引っ掛かるなどの干渉を生じないので、取り扱いが容易となる。
【図面の簡単な説明】
【００１３】
【図１】本考案の一実施形態にかかるマスキング治具を示す正面図。
【図２】前記マスキング治具の側面図。
【図３】前記マスキング治具の底面図。
【図４】前記マスキング治具のバネ部を取り付ける状況を示す平面図。
【図５】前記マスキング治具を被塗装対象物に取り付けた状態を説明する断面図。
【図６】前記マスキング治具を平面上に置いた状態を説明する説明図。
【図７】本考案の他の実施形態にかかるマスキング治具を示す正面図。
【考案を実施するための形態】
【００１４】
以下、本考案の一実施形態を図面に基づいて説明する。
［マスキング治具の構成］
図１，２において、マスキング治具１は、マスキング板２と、把持部３と、支柱部４と、バネ部５とを備えている。
【００１５】
マスキング板２は、鋼板などにて円板状に形成されている。マスキング板２は、図示しない被塗装対象物に設けられたネジ孔やボルトが挿通される挿通孔などの装着孔と、その周囲の塗装しない非塗装領域とを覆う大きさに形成されている。マスキング板２の表面となる一方の面には把持部３が設けられ、裏面となる他方の面には支柱部４が設けられている。
なお、マスキング板２は、鋼板にて形成される場合に限らず、合成樹脂やセラミックスなど各種材料にて形成してもよい。
【００１６】
把持部３は、マスキング板２と同様に鋼板などにて矩形平板状に形成されている。把持部３は、マスキング板２の直径方向に沿う状態でマスキング板２に一体に立設されている。
なお、把持部３は、マスキング板２と同様に、鋼板にて形成される場合に限らず、各種材料にて形成してもよい。
【００１７】
支柱部４は、鋼材にて四角柱状に形成されている。支柱部４は、軸方向がマスキング板２の厚さ方向に沿うように、マスキング板２の裏面の中央に一体的に立設されている。
支柱部４は、鋼材にて形成する場合に限らず、各種材料にて形成してもよい。
支柱部４には、バネ部５が複数取り付けられている。
【００１８】
バネ部５は、鋼製のバネ材などにて長手状に弾性変形可能に形成されている。バネ部５の長手方向の一端である基端には、図１〜４に示すように、環状に形成された取付部５１が設けられている。この取付部５１は、バネ部５を支柱部４にネジ止めするためのもので、ネジ５２を挿通可能である。
バネ部５の長手方向の他端である先端側には、支柱部４の軸心側に向けて屈曲された屈曲部５３が設けられている。
【００１９】
そして、バネ部５は、支柱部４の各側面に取り付けられている。具体的には、バネ部５は、取付部５１が支柱部４の先端側にワッシャ５４とともにネジ止めされ、屈曲部５３側がマスキング板２の裏面に向けて延出し、支柱部４の基端側から所定間隔浮いている。つまり、バネ部５は、マスキング板２側に向かうに従って屈曲部５３が支柱部４から離れるように、支柱部４に対して拡開して取り付けられている。
また、この支柱部４に対してバネ部５が拡開する度合いは、支柱部４から最も離れた屈曲部５３がマスキング板２の外周から外方にはみ出さないように設定されている。このことにより、多数のマスキング治具１を寄せ集めて収容しても、バネ部５同士が絡み合うことがない。
【００２０】
［マスキング治具の着脱］
次に、上記マスキング治具１を用いて被塗装対象物の非塗装部分をマスキングする作業について説明する。
マスキング治具１の把持部３を把持し、図５に示すように、被塗装対象物８の装着孔８１に支柱部４の先端を挿入する。装着孔８１の開口縁にバネ部５が当接する状態で、マスキング板２を被塗装対象物８に押し付けるように支柱部４を押し込むと、バネ部５が支柱部４に近接するように弾性変形する。そして、マスキング板２を被塗装対象物８の表面に当接するまで支柱部４を押し込むことで、マスキング治具１を被塗装対象物８に取り付ける（図５の状態）。
【００２１】
そして、マスキング治具１が取り付けられた状態では、バネ部５は弾性変形されて生じる復元力により、装着孔８１の内面に複数の屈曲部５３が押し付けられる状態となっている。このように、複数のバネ部５が装着孔８１の内面を押圧しているので、マスキング治具１は装着孔８１から脱落することなく被塗装対象物８に取り付けられる。
【００２２】
この状態で被塗装対象物８に塗装を施した後、再び把持部３を把持し、引き抜くようにしてマスキング治具１を被塗装対象物８から取り外す。こうすることで、装着孔８１および装着孔８１の周縁の非塗装領域８２には塗装が施されず、塗装された被塗装対象物８が得られる。バネ部５の屈曲部５３の頂部となる部分は曲面状となっているので、マスキング治具１を装着孔８１から引き抜くように取り外す際、装着孔８１の内面を屈曲部５３の頂部が滑動する状態となり、装着孔８１の内面を傷付けることなく取り外すことができる。
【００２３】
また、マスキング治具１を作業テーブル上などの載置面９に置いた場合、図６に示すように、マスキング板２の周縁と支柱部４の先端部（バネ部５を取り付けるネジ５２を含む）とで接地する状態となる。
この状態では、バネ部５は載置面９に接触していない。仮に、この図６に示す状態で他の部材がぶつかったり他の部材の下敷きになったりしても、バネ部５が載置面９に押し付けられて塑性変形してしまう不都合を防止できる。
【００２４】
［実施形態の作用効果］
上記実施形態では、マスキング板２に突設した支柱部４の先端に、バネ部５の先端がマスキング板２の裏面に向けて延出する状態にバネ部５の基端を取り付けている。
このため、載置面９上では、図６に示すように、マスキング板２の周縁と支柱部４の先端部とが接地するので、他の部材の下敷きとなるなどの外力が作用しても、バネ部５に外力が加わって塑性変形することを防止でき、長期間安定した特性を提供できる。
【００２５】
より詳細には、バネ部５がマスキング板２の周縁と支柱部４の先端縁（バネ部５を支柱部４に取り付けるネジ５２を含む）とを結ぶ直線（載置面９）よりも支柱部４側に位置して設けられているため、バネ部５が他の部材などに接触しにくくなり、バネ部５に外力が加わることをより確実に防止できる。
【００２６】
さらに、バネ部５の先端側はマスキング板２に向けて延出しているが、マスキング板２よりも外方に向けて突出しないので、マスキング治具１を複数まとめて収容した際、バネ部５が他のマスキング治具１に引っ掛かるなどの干渉を生じることも防止できる。このため、利用時にマスキング治具１を一つずつ取り上げることが容易にでき、取扱性を向上できる。
【００２７】
また、上記実施形態では、バネ部５の長手方向の一端には、支柱部４に対してネジ止めされる環状の取付部５１が設けられている。さらに、バネ部５の長手方向の他端部には、支柱部４に向けて屈曲する屈曲部５３を設けている。
このため、例えば長手状のバネ材を曲げ加工するのみでバネ部５を容易に形成できるとともに、バネ部５を支柱部４に容易に着脱でき、マスキング治具１の組立作業性を向上できる。また、仮に一つのバネ部５を損傷したとしても、損傷したバネ部５のみを交換すればよく、少ないコストで長期間安定した特性が得られる。
【００２８】
さらに、上記実施形態では、四角柱状に形成した支柱部４の側面にバネ部５をそれぞれ取り付けているから、マスキング治具１を載置面９上に載置してマスキング板２の周縁と支柱部４の先端縁とで接地する状態でも、支柱部４の先端縁が角形のために転動しにくくなり、取り上げる際にマスキング治具１が転がってしまうなどの不都合を防止でき、取扱性を向上できる。
【００２９】
また、支柱部４が四角柱状で各面にバネ部５を取り付けているので、マスキング治具１を被塗装対象物８に取り付けた際にバネ部５による復元力が装着孔８１の内面に均等に分散される状態となる。このため、比較的に少ないバネ部５の本数でも装着孔８１の中心とマスキング板２の中心とがずれることを防止でき、適切にマスキングできる。
【００３０】
［変形例］
なお、本考案は前述の実施形態に限定されるものではなく、本考案の目的を達成できる範囲での変形、改良等は本考案に含まれるものである。
具体的には、長手状のバネ部５を、支柱部４の側面に取り付けて説明したが、例えば図７に示すように、放射状にバネ部７１を複数有した形状のバネ部材７を用いてもよい。
【００３１】
この図７に示すマスキング治具１のバネ部材７は、例えば鋼板にて形成され、支柱部４の先端形状と同様の四角形に形成された取付部７２を有している。この取付部７２の中央にはネジ７３が挿通されるネジ挿通孔が設けられ、取付部７２が支柱部４の先端面にネジ止めされる。また、取付部７２の各辺の中央には、マスキング板２の裏面に向けて延出するバネ部７１が一体にそれぞれ突設されている。さらに、各バネ部７１の先端には、バネ部５の屈曲部５３と同様に支柱部４の基端に向けて屈曲形成された屈曲部７４が設けられている。
この図７に示すバネ部材７を用いることで、取付部７２を取り付ける一動作で複数のバネ部７１を取り付けでき、バネ部材７の着脱が容易にできる。
【００３２】
そして、上記実施形態では、支柱部４として四角柱状に形成したものを例示したが、この場合に限らず、例えば三角柱状もしくは五角以上の角柱状の他、円柱状や楕円柱状、さらには裁頭形状に形成したものでもよい。なお、バネ部５を取り付ける作業性や製造性、さらには転動防止などを考慮すると、支柱部４は角柱状が好適である。
さらに、バネ部５を支柱部４の各側面の全てに取り付けて説明したが、この場合に限らない。例えば、支柱部４が六面の場合でも六面全てに取り付ける場合に限らず、一面おきに三面に設けるなど、支柱部４の周方向で略等間隔に３つ以上取り付けられればよい。
要するに、バネ部５の数は、支柱部４等の形状を勘案して最適に決められればよい。
【００３３】
また、上記実施形態では、マスキング板２とは別体の把持部３や支柱部４をマスキング板２に取り付けて説明したが、この場合に限らず、鋳造や成形などにてマスキング板２と把持部３および支柱部４とを一体に形成するなどしてもよい。
そして、バネ部５あるいはバネ部７１の先端は、二股以上に枝分かれした形状としてもよい。
また、バネ部５の取付部５１は、環状に形成した場合に限らず、例えばワッシャ状に形成されたものなどとしてもよい。
さらに、取付部５１をワッシャ５４とともにネジ止めしたが、ワッシャ５４を用いなくてもよい。
【００３４】
その他、本考案の実施の際の具体的な構造および手順は、本考案の目的を達成できる範囲で他の構成に変更するなどしてもよい。
【産業上の利用可能性】
【００３５】
本考案は、被塗装対象物の非塗装領域をマスキングするために利用できる。
【符号の説明】
【００３６】
１…マスキング治具、２…マスキング板、３…把持部、４…支柱部、５，７１…バネ部、５１，７２…取付部、５２，７３…ネジ、５３，７４…屈曲部、９…直線となる載置面。
【図１】
0003170267.tif 000003
【図２】
0003170267.tif 000004
【図３】
0003170267.tif 000005
【図４】
0003170267.tif 000006
【図５】
0003170267.tif 000007
【図６】
0003170267.tif 000008
【図７】
0003170267.tif 000009